(57)【要約】【課題】  エレベータ制御盤の電子部品の劣化を防ぎ、かご内に存在する細菌の繁殖を抑制する。【解決手段】  エレベータ制御盤１内の計測湿度が第１の設定湿度より高くなったとき、電子部品の劣化を防ぐために除湿動作を行う前記エレベータ制御盤の除湿制御系１０と、乗りかご２内の計測湿度が第２の設定湿度より低くなったとき、除湿制御系１０の除湿動作で得られた除湿水を用いて、加湿動作を行う前記乗りかごの加湿制御系２０とを備えたエレベータ設備の除湿・加湿システムである。【選択図】図１
2012046318.tif 000002
【特許請求の範囲】
【請求項１】
エレベータ制御盤内の計測湿度が第１の設定湿度より高くなったとき、電子部品の劣化を防ぐために除湿動作を行う前記エレベータ制御盤の除湿制御系と、
乗りかご内の計測湿度が第２の設定湿度より低くなったとき、前記除湿動作で得られた除湿水を用いて、加湿動作を行う前記乗りかごの加湿制御系と
を備えたことを特徴とするエレベータ設備の除湿・加湿システム。
【請求項２】
請求項１に記載のエレベータ設備の除湿・加湿システムにおいて、
前記除湿制御系は、エレベータ制御盤内の湿度を計測する湿度計測手段と、この湿度計測手段で計測された湿度が第１の設定湿度より高くなったとき、除湿動作指令を出力するメインコントローラと、このメインコントローラからの除湿動作指令を受けて除湿動作を行う除湿装置と、除湿動作によって得られた除湿水を蓄える除湿水タンクと、この除湿水タンクの水位を計測して前記メインコントローラに送出する第１の水位計測手段とを備え、
前記除湿水タンクの水位が満水になるまで前記除湿水を除湿水タンクへ送水することを特徴とするエレベータ設備の除湿・加湿システム。
【請求項３】
請求項２に記載のエレベータ設備の除湿・加湿システムにおいて、
前記除湿装置には流路切換手段及び排気ダクトが設けられ、
前記流路切換手段は、前記第１の水位計測手段で計測された水位から前記除湿水タンクが満水であるとき、前記コントローラからの切換え指令に従い、前記除湿水タンクに代えて、前記排気ダクト側に切換えて前記除湿動作で得られた除湿水を外気へ排出することを特徴とするエレベータ設備の除湿・加湿システム。
【請求項４】
請求項１または請求項２に記載のエレベータ設備の除湿・加湿システムにおいて、
前記加湿制御系は、前記除湿水タンクから除湿水を受け取って蓄える加湿水タンクと、前記乗りかご内の湿度を計測する湿度計測手段と、この計測された湿度が設定湿度より低くなったとき、加湿動作指令を出力するコントローラと、この加湿動作指令を受けて加湿動作を行う加湿装置とを備えたことを特徴とするエレベータ設備の除湿・加湿システム。
【請求項５】
請求項４に記載のエレベータ設備の除湿・加湿システムにおいて、
前記乗りかご内の細菌量を測定する細菌量測定手段が設けられ、
前記コントローラは、前記湿度計測手段で計測された湿度が設定湿度より低くなっていないが、前記細菌量測定手段で測定された細菌量が設定細菌量データよりも多いとき、前記加湿装置に加湿動作指令を送出し、加湿動作を行わせることを特徴とするエレベータ設備の除湿・加湿システム。
【請求項６】
前記請求項２に記載の除湿水タンク側に除湿水を送水する送水装置を設けるとともに、
当該送水装置と前記請求項４に記載の加湿水タンクとの間に連係管路を接続し、
前記送水装置は、前記加湿制御系を構成する前記コントローラから送水要求信号を受けたとき前記除湿水タンクの除湿水を前記加湿水タンクに送水し、送水不要信号を受けたとき送水を停止することを特徴とするエレベータ設備の除湿・加湿システム。
【請求項７】
請求項６に記載のエレベータ設備の除湿・加湿システムにおいて、
前記除湿水タンクの水位を計測する第２の水位計測手段を設け、
前記送水装置は、前記加湿制御系を構成する前記コントローラから一定の条件のもとに回収要求信号を受けたとき、前記加湿水タンク内の水を回収するとともに、前記第２の水位計測手段で計測される前記除湿水タンクの水位を当該コントローラに送信し、当該コントローラから前記除湿水タンクが満水とする回収停止信号を受けたとき回収停止を行うことを特徴とするエレベータ設備の除湿・加湿システム。
【請求項８】
請求項４に記載のエレベータ設備の除湿・加湿システムにおいて、
前記加湿水タンク内の除湿水に含む不純物濃度を測定する不純物濃度測定手段及び不純物を含む除湿水を清浄する清浄手段を設け、
前記コントローラは、前記不純物濃度測定手段で測定された不純物濃度が設定濃度より高いとき、前記清浄手段に清浄動作指令を送出し、前記加湿水タンク内の除湿水を清浄することを特徴とするエレベータ設備の除湿・加湿システム。
【請求項９】
エレベータ制御盤内の計測湿度が設定湿度より高くなったとき除湿動作を行う除湿動作ステップと、
この除湿動作ステップで得られた除湿水を除湿水タンクに蓄える貯水ステップと、
この貯水ステップで蓄えられた除湿水タンク内の水位が満水になったとき、前記除湿動作ステップで得られた除湿水を前記除湿水タンクに代えて外気へ排出する排出ステップと、
乗りかご側の加湿装置から送水要求信号を受けたとき、前記除湿水タンク側に設置された送水装置により除湿水タンク内に蓄えられた除湿水を吸い上げて連係管体を介して乗りかご側の加湿水タンクに送水する送水ステップと、
前記乗りかご側の加湿装置から加湿水タンクの水位が満水による送水不要信号を受けたとき、前記送水装置による送水を停止する送水停止ステップと、
前記乗りかご内部の計測湿度が設定湿度より低くなったとき加湿動作を行う加湿動作ステップと
を有することを特徴とするエレベータ設備の除・加湿方法。
【請求項１０】
エレベータ制御盤内の計測湿度が設定湿度より高くなったとき除湿動作を行う除湿動作ステップと、
この除湿動作ステップで得られた除湿水を除湿水タンクに蓄える貯水ステップと、
この貯水ステップで蓄えられた除湿水タンク内の水位が満水になったとき、前記除湿動作ステップで得られた除湿水を前記除湿水タンクに代えて外気へ排出する排出ステップと、
乗りかご側の加湿装置から送水要求信号を受けたとき、前記除湿水タンク側に設置された送水装置により除湿水タンク内に蓄えられた除湿水を吸い上げて連係管体を介して乗りかご側の加湿水タンクに送水する送水ステップと、
前記乗りかご側の加湿装置から回収要求信号を受けたとき、送水装置により連係管体を介して乗りかご側の加湿水タンクに蓄えられている除湿水を前記除湿水タンクに回収する回収ステップと、
回収後の当該除湿水タンクの水位を計測し、前記乗りかご側の加湿装置に通知し、当該加湿装置から前記除湿水タンクが満水であることに基づき回収停止信号を受けたとき、回収動作を停止するステップと
を有することを特徴とするエレベータ設備の除・加湿方法。
【発明の詳細な説明】
【技術分野】
【０００１】
本発明の実施の形態は、エレベータ設備の除湿・加湿システム及びその除湿・加湿方法に関する。
【背景技術】
【０００２】
エレベータ設備としては、エレベータの運行制御を司るエレベータ制御盤やエレベータ利用者を運ぶ乗りかご等が設けられている。
【０００３】
エレベータ制御盤は、乗りかごを所定の走行速度で運行制御する観点から、多数の電子部品が実装され、長期に亘って安定な動作を確保することが必要となる。
【０００４】
そのため、エレベータ制御盤が長期に亘って安定に動作するためには、外部環境の変化に伴って生じる電子部品の劣化を防ぐ必要がある。
【０００５】
一方、エレベータの乗りかごは、多数の利用者が乗降することから、かご内が常にクリーンな状態を保っておく必要があるが、従来ではかご内を快適にするための温度制御だけを行っているのが一般的である。
【先行技術文献】
【特許文献】
【０００６】
【特許文献１】特開平６−１５９８２０号公報
【特許文献１】特開平６−  ７２６６８号公報
【発明の概要】
【発明が解決しようとする課題】
【０００７】
従って、従来のエレベータでは、エレベータ制御盤における電子部品の劣化を防止するために特別な対策が講じられていない。
【０００８】
また、エレベータの乗りかごについては、主にかご内の温度制御であって、湿度管理がなされていない。その結果、乗りかご内は利用者が密集する場所であり、何らかの菌を保有する体調の悪い人が乗ったとき、他の利用者への影響を考える必要があるが、このような点に対する予防策も講じられていない。
【０００９】
そこで、本エレベータ設備の除湿・加湿システム及びその除湿・加湿方法は、エレベータ制御盤の電子部品の劣化を防ぎ、かつ、万が一かご内に菌を保有する者が乗った場合でも菌の繁殖を抑制する制御を行うことを提供する。
【課題を解決するための手段】
【００１０】
上記課題を解決するために、発明の実施形態によれば、エレベータ制御盤内の計測湿度が第１の設定湿度より高くなったとき、電子部品の劣化を防ぐために除湿動作を行う前記エレベータ制御盤の除湿制御系と、乗りかご内の計測湿度が第２の設定湿度より低くなったとき、前記除湿制御系の前記除湿動作で得られた除湿水を用いて、加湿動作を行う前記乗りかごの加湿制御系とを備えたエレベータ設備の除湿・加湿システムである。
【００１１】
また、他の実施形態によれば、エレベータ制御盤内の計測湿度が設定湿度より高くなったとき除湿動作を行う除湿動作ステップと、この除湿動作ステップで得られた除湿水を除湿水タンクに蓄える貯水ステップと、この貯水ステップで蓄えられた除湿水タンク内の水位が満水になったとき、前記除湿動作ステップで得られた除湿水を前記除湿水タンクに代えて外気へ排出する排出ステップと、乗りかご側の加湿装置から送水要求信号を受けたとき、前記除湿水タンク側に設置された送水装置により除湿水タンク内に蓄えられた除湿水を吸い上げて連係管体を介して乗りかご側の加湿水タンクに送水する送水ステップと、
前記乗りかご側の加湿装置から加湿水タンクの水位が満水による送水不要信号を受けたとき、前記送水装置による送水を停止する送水停止ステップと、前記乗りかご内の計測湿度が設定湿度より低くなったとき加湿動作を行う加湿動作ステップとを有するエレベータ設備の除湿・加湿方法である。
【図面の簡単な説明】
【００１２】
【図１】実施形態に係るエレベータ設備の除湿・加湿システムの全体構成を示す図。
【図２】図１に示す除湿制御系の具体的な構成図。
【図３】図１に示す加湿制御系の具体的な構成図。
【図４】除湿制御系を構成する除湿装置による除湿動作の流れを示す図。
【図５】除湿制御系における除湿水タンクの満水有無による流路切換えを説明する図。
【図６】加湿制御系における加湿水タンクの満水有無に対する除湿制御系側の送水装置への要求内容を説明する図。
【図７】加湿制御系における加湿水タンク内の水使用状態に応じて除湿制御系側の送水装置に回収要求及び回収停止の要求を説明する図。
【図８】加湿制御系側からの要求に応じた除湿制御系側送水装置の動作を説明する図。
【図９】乗りかご内部の湿度及び細菌量に対する加湿装置の動作状態を説明する図。
【図１０】加湿水タンクの水から得られる不純物濃度に対する清浄装置の動作状態を説明する図。
【発明を実施するための形態】
【００１３】
以下、実施形態について、図面を参照して説明する。  
図１は一実施の形態に係るエレベータ設備の除湿・加湿システムを示す概略構成図である。
【００１４】
エレベータ設備の除湿・加湿システムは、除湿制御系１０を備えたエレベータ制御盤１と、加湿制御系２０を備えた乗りかご２とで構成される。
【００１５】
除湿制御系１０は、エレベータ制御盤１の内部を除湿することで各種の電子部品の劣化を防ぐものであって、湿度計測器１１、除湿装置１２、除湿水タンク１３、除湿装置１２と除湿水タンク１３を結ぶ管体１４、水位計１５及び送水装置１６を含む構成である。
【００１６】
さらに、エレベータ制御盤１内部には後記するメインコントローラ１７が設けられている（図２参照）。
【００１７】
湿度計測器１１は、エレベータ制御盤１内部の湿度を計測し、その計測湿度をメインコントローラ１７に送出し、除湿動作の可否を判断させる。
【００１８】
除湿装置１２は、エレベータ制御盤１の例えば上部などに設置され、エレベータ制御盤１内の湿気を吸気して湿度を下げる機能を有する。
【００１９】
除湿水タンク１３は、エレベータ制御盤１近傍に設置され、除湿装置１２で除湿された水を管体１４を通してタンク内部に蓄える。
【００２０】
水位計１５は、除湿水タンク１３の水位を計測するものであって、望ましくは後記するように２個設置される。
【００２１】
送水装置１６は、送水や回収の要求を判断するマイクロコンピュータとその判断結果に従って送水、回収及び停止動作するポンプとが用いられ、除湿水タンク１３の例えば上部などに設置される。送水装置１６は、乗りかご２側の加湿装置からの送水・回収要求等に基づき、除湿水タンク１３内に蓄えられている水を吸い上げ、連係管体１８を介して乗りかご２側の加湿装置に送水し、また、加湿装置に送水した水の回収を行う機能を有する。
【００２２】
連係管体１８は、樹脂製のチューブなど柔軟性に優れた管体が用いられ、例えばエレベータ制御盤１と乗りかご２とを結ぶテールコード内に収納され、または当該テールコードに添着させた状態で乗りかご２側に導入される。
【００２３】
一方、乗りかご２側の加湿制御系２０は、乗りかご１０内の湿度を計測する湿度計測器２１、加湿装置２２及び細菌量測定器２３を含む構成である。なお。送水装置１６と加湿装置２２とは前述したように連係管体１８で結ばれる。
【００２４】
加湿装置２２は、除湿水タンク１３に蓄えられた除湿水を利用して乗りかご２内を加湿し、エレベータ利用者の中にウィルスその他の細菌を保有す者が乗っている場合にそれら菌を死滅させ、あるいは菌の繁殖を防ぐ役割を有する。
【００２５】
細菌量測定器２３は、例えば誘導泳動インピーダンス計測法（DEPIM）や導電率の計測によってウィルス菌，カビ菌等の量を測定し、その測定された細菌量に基づいて加湿装置２２に加湿指令を送出し、加湿動作によって細菌の繁殖を抑制し、あるいは細菌を死滅させるものである。
【００２６】
図２はエレベータ制御盤１における除湿制御系１０の具体的構成を示す図である。  
エレベータ制御盤１にはメインコントローラ１７が設けられている。メインコントローラ１７は、湿度計測器１１で計測された湿度が電子部品の劣化を速める湿度であるとき、除湿装置１２に除湿指令を送出し、除湿動作を行わせる。
【００２７】
一方、除湿装置１２には除湿水の流路を選択する流路切換手段１２ａが設けられている。流路切換手段１２ａは、常時は除湿水を管体１４側に流すようにしているが、除湿水タンク１３が満水の状態になったとき、メインコントローラ１７からの流路切換指令により、排気ダクト１２ｂ側に切換え、除湿水を外気へ排出する。
【００２８】
また、除湿水タンク１３には２個の水位計１５ａ，１５ｂが設置されている。１つの水位計１５ａは除湿水タンク１３内に蓄えられた水が満水状態になったとき、メインコントローラ１７に通知する。もう１つ水位計１５ｂは、送水装置１６が乗りかご２側の加湿装置２２と連携し、該加湿装置２２側からの回収指示のもとに送水装置１６が後記する加湿水タンクから除湿水タンク１３に回収したとき、除湿水タンク１３の水位を監視し、その水位状態を加湿装置２２側に通知するものである。１９は管体である。
【００２９】
図３は乗りかご２における加湿制御系２０の具体的構成を示す図である。  
先ず、加湿装置２２は、加湿水タンク２２ａ、コントローラ２２ｂ、清浄装置２２ｃ、水位計２２ｄ及び不純物濃度測定器２２ｅなどで構成される。
【００３０】
加湿水タンク２２ａは、除湿制御系１０側の送水装置１６から送られてくる除湿水を受け取って乗りかご２内の加湿に使用される。
【００３１】
コントローラ２２ｂは、水位計２２ｄや不純物濃度測定器２２ｅの計測データに従って、例えば加湿水タンク２２ａの水位状態に応じて除湿制御系１０の送水装置１６に対して送水要求や回収要求を行ったり、加湿水タンク２２ａ内の水に例えば塩素，カルキ、かび臭、水銀，鉛等，エレベータ利用者の人体に影響を与える不純物が多いときに清浄動作指令を清浄装置２２ｃに送出する。
【００３２】
清浄装置２２ｃは、コントローラ２２ｂからの清浄指令のもとに清浄動作を実行する。
【００３３】
次に、以上のように構成された除湿・加湿システムの作用について説明する。
【００３４】
（１）  除湿制御系１０における除湿動作について（図４参照）。
【００３５】
メインコントローラ１７は、所定の演算周期ごとに少なくとも湿度計測器１１で計測されたエレベータ制御盤１内の湿度データａを取り込み（Ｓ１）、当該湿度データａと予め設定される湿度基準データｂとを比較する（Ｓ２）。
【００３６】
ここで、メインコントローラ１７は、計測された湿度データａが湿度基準データｂよりも低いとき、除湿装置１２をオフするが（Ｓ３）、計測された湿度データａが湿度基準データｂよりも高いとき、除湿動作指令を除湿装置１２に送出する。
【００３７】
除湿装置１２は、除湿動作指令を受けると、除湿動作を開始し（Ｓ４）、エレベータ制御盤１内の除湿を行う。
【００３８】
すなわち、メインコントローラ１７は、エレベータ制御盤１内の湿度データａが湿度基準データｂよりも低くなるまで、除湿動作を続ける。
【００３９】
なお、除湿条件がｂ＞ａであるとき、エレベータ制御盤１内の湿度が変わるたびに頻繁に除湿動作と除湿停止とを繰り返すハンチング現象が発生する。そのため、例えば除湿動作によって湿度を下げる場合には湿度基準データｂよりも十分に低い湿度基準データまで下げた後、ａ＞ｂの条件のもとに除湿動作を行えば、ハンチング現象を無くすことができる。
【００４０】
（２）  除湿動作による除湿水の流路切換えについて（図５参照）。
【００４１】
メインコントローラ１７は、所定の演算周期ごとに少なくとも水位計１５ａで計測された水位データｃを取り込み（Ｓ１１）、予め設定される満水位データと比較し、除湿水タンク１３の水位が満水状態か否かを判断する（Ｓ１２）。
【００４２】
ここで、満水状態でないと判断されたとき、流路切換手段１２ａが通常の流路先である管体１４側に接続されているので、除湿水は管体１４を通って除湿水タンク１３に蓄えられる（Ｓ１３）。
【００４３】
一方、除湿水タンク１３が満水であると判断されたとき、メインコントローラ１７は切換え指令を流路切換手段１２ａに送出する。その結果、流路切換手段１２ａは、排気ダクト１２ｂ側に切換え、除湿した水を外気へ排水する（Ｓ１４）。
【００４４】
これにより、除湿水タンク１３に除湿水が満タンになって溢れるようなことがなくなる。
【００４５】
（３）  送水装置１６による加湿装置２２への送水及び該加湿装置２２からの回収について（図６ないし図８参照）。
【００４６】
（イ）  加湿装置２２内のコントローラ２２ｂは、送水装置１６に対し送水要求・送水不要要求を行う（図６参照）。
【００４７】
コントローラ２２ｂは、具体的には、水位計２２ｄから加湿水タンク２２ａの水位データｄを取り込み（Ｓ２１）、水位データｄから加湿水タンク２２ａの水位が予め設定される満水位の状態でなければ（Ｓ２２）、送水要求信号を送水装置１６に送信する（Ｓ２３）。
【００４８】
コントローラ２２ｂは、ステップＳ２２にて加湿水タンク２２ａの水位が満水位の状態であれば、送水不要信号を送水装置１６に送信する（Ｓ２４）。
【００４９】
従って、加湿水タンク２２ａは常に満水位の状態を保持しているので、常に除湿水を加湿動作に利用することができる。
【００５０】
（ロ）  加湿装置２２内のコントローラ２２ｂは、送水装置１６に対し回収要求を行う（図７参照）。
【００５１】
コントローラ２２ｂは、計時装置（図示せず）及び水位計２２ｄからそれぞれ時間経過データ（タイマーデータ）ｅと水位データｄを取り込み（Ｓ３１）、適宜なメモリに一時的に保存する。
【００５２】
しかる後、コントローラ２２ｂは、時間経過データｅと予め設定されたタイマー基準データｆとを比較する（Ｓ３２）。ここで、時間経過データｅがタイマー基準データｆを超えているとき、タイマー基準データｆに相当する時間経過の間の水位データｄから加湿水タンク２２ａ内の水が使用されているか否かを判断する（Ｓ３３）。
【００５３】
コントローラ２２ｂは、例えば全く水位変化がないか、予め設定された水位変化まで使用されていない場合、回収要求信号を送水装置１６に送信する（Ｓ３４）。
【００５４】
コントローラ２２ｂは、回収要求後、除湿制御系１０の水位計１５ｂから送信されてくる水位データｃから除湿水タンク１３の水位が満水に近い状態か否かを判断する（Ｓ３５）。コントローラ２２ｂは、満水に近い状態と判断したとき、回収停止信号を送水装置１６に送信する（Ｓ３６）。
【００５５】
（ハ）  送水装置１６は、加湿装置２２内のコントローラ２２ｂから送信されてくる信号に基づき、送水及び回収処理を実行する（図８参照）。
【００５６】
送水装置１６は、加湿装置２２内のコントローラ２２ｂから送水要求信号有りかを判断し（Ｓ４１）、送水要求無しの場合には加湿装置２２内のコントローラ２２ｂから回収要求有りかを判断する（Ｓ４２）。回収要求無しの場合にはステップＳ４１に戻る。
【００５７】
送水装置１６は、ステップＳ４１にて、加湿装置２２側コントローラ２２ｂから送水要求信号を受けたとき、送水要求有りと判断し、送水動作を行う（Ｓ４３）。すなわち、送水装置１６は、除湿水タンク１３から除湿水を吸い上げ、連係管体１８を通して加湿水タンク２２ａに送水する。
【００５８】
送水装置１６は、送水後、コントローラ２２ｂから送水不要信号が来たとき（Ｓ４４）、送水を停止する（Ｓ４５）。
【００５９】
一方、送水装置１６は、加湿装置２２側の加湿水タンク２２ａの水が水位変化無しあるいは使用頻度が少ないなどで一定期間使用されていない場合、コントローラ２２ｂから回収要求信号を受け取る。
【００６０】
送水装置１６は、ステップＳ４２にて回収要求信号有りと判断したとき、回収動作を行う（Ｓ４６）。この回収動作中、水位計１５ｂが除湿水タンク１３の水位を計測し、加湿装置２２側のコントローラ２２ｂに送信する（Ｓ４７）。ここで、コントローラ２２ｂは、除湿水タンク１３の水位が満水状態に近づいたとき、回収停止信号を送信する。
【００６１】
送水装置１６は、コントローラ２２ｂから回収停止信号を受けたとき（Ｓ４８）、回収動作を停止し（Ｓ４９）、ステップＳ２１に戻る。
【００６２】
従って、除湿制御系１０と加湿制御系２０は相互に連携を取りながら除湿水を有効に利用しながら、除湿動作と加湿動を行うことができる。
【００６３】
（４）  加湿動作について（図９参照）。
【００６４】
コントローラ２２ｂは、湿度計測器２１及び細菌量測定器２３で計測された乗りかご２内の湿度データｈ及び細菌量データｊを取り込んで適宜なメモリに記憶した後（Ｓ５１）、当該湿度データｈと予め設定された細菌繁殖の目安となる湿度基準データｉとを比較し（Ｓ５２）、湿度データｈが湿度基準データｉよりも低いとき、加湿装置２２を動作させ、乗りかご２内を加湿する（Ｓ５３）。
【００６５】
また、コントローラ２２ｂは、ステップＳ５２にて湿度データｈが湿度基準データｉよりも高いとき、細菌量測定器２３で計測された細菌量データｊと細菌量基準データｋを比較し（Ｓ５４）、細菌量データｊが細菌量基準データｋと等しいか、多いとき、加湿装置２２を動作させ、乗りかご２内を加湿する（Ｓ５５）。
【００６６】
コントローラ２２ｂは、ステップＳ５４にて細菌量データｊが細菌量基準データｋよりも少ないとき、加湿装置２２の加湿動作中であれば、当該加湿装置２２の加湿動作を停止させる（Ｓ５６）。
【００６７】
従って、以上のような実施形態によれば、細菌が繁殖する環境にあれば、湿度を増やして細菌の繁殖を抑制するか、あるいは死滅させるような環境に設定するので、細菌の繁殖を確実に抑制でき、エレベータ利用者によるかご内の菌感染から守ることができる。
【００６８】
（５）  清浄装置の清浄動作について（図１０参照）。
【００６９】
コントローラ２２ｂは、不純物濃度測定器２２ｅで測定される加湿水タンク２２ａの水に含む不純物濃度データｍを取り込んだ後（Ｓ６１）、この不純物濃度データｍと不純物濃度基準データｎとを比較する（Ｓ６２）。
【００７０】
ここで、コントローラ２２ｂは、不純物濃度データｍが不純物濃度基準データｎを超えたとき、清浄装置２２ｃを動作させる（Ｓ６３）。ステップＳ６２にて不純物濃度データｍが不純物濃度基準データｎよりも少ない場合、清浄装置２２ｃが動作中に限り、清浄装置２２ｃの清浄動作を停止させる。
【００７１】
従って、加湿水タンク２２ａの水の不純物濃度を調べ、清浄動作を行うので、常に浄化された水を用いて、乗りかご２内を加湿することができる。
【００７２】
上記実施形態における全般的な効果としては、湿気の多い夏場にはエレベータ制御盤１を除湿し、制御盤１内に使用されている部品の劣化を抑制するので、寿命を長くでき、動作の安定化にも貢献する。
【００７３】
また、湿気の少ない冬場では、乗りかご２内を加湿し、乾燥を防ぐことにより、細菌の繁殖を防ぐことができる。
【００７４】
さらに、エレベータ制御盤１及び乗りかご２に湿度計測器１１，２１を設け、それぞれ設定湿度に基づいて除湿動作や加湿動作を行うので、無駄な除湿動作や加湿動作が無くなり、必要にときだけ確実に除湿、加湿できる。
【００７５】
タンク１３，２２ａに水位計１５ａ，１５ｂ，２２ｄを設置することにより、除湿水が溢れることがなく、必要なときに確実に除湿、加湿に使用することができる。
【００７６】
加湿水タンク２２ａに清浄装置２２ｃを設置することにより、加湿する水は常に清潔に保ちつつ加湿の際に綺麗な水を使用して加湿できる。
【００７７】
さらに、加湿水タンク２２ａ内の水を除湿水タンク１３に戻すことで、加湿装置２２の結露対策にも役立つ。
【００７８】
（その他の実施形態）
なお、上記実施形態では、エレベータ制御盤１に対して除湿制御系１０を設けたが、電子部品の劣化を招くようなエレベータの他の設備，例えば各種表示器などに設けてもよい。
【００７９】
また、本発明はいくつかの実施形態を説明したが、これらの実施形態は、それぞれ一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１…エレベータ制御盤、２…乗りかご、１０…除湿制御系、１１…湿度計測器、１２…除湿装置、１２ａ…流路切換手段、１２ｂ…排気ダクト、１３…除湿水タンク、１５（１５ａ，１５ｂ）…水位計、１６…送水装置、１７…メインコントローラ、１８…連係管体、２０…加湿制御系、２１…湿度計測器、２２…加湿装置、２２ａ…加湿水タンク、２２ｂ…コントローラ、２２ｃ…清浄装置、２２ｄ…水位計、２２ｅ…不純物濃度測定器、２３…細菌量測定器。
【図１】
2012046318.tif 000003
【図２】
2012046318.tif 000004
【図３】
2012046318.tif 000005
【図４】
2012046318.tif 000006
【図５】
2012046318.tif 000007
【図６】
2012046318.tif 000008
【図７】
2012046318.tif 000009
【図８】
2012046318.tif 000010
【図９】
2012046318.tif 000011
【図１０】
2012046318.tif 000012